(57)【要約】  【課題】  小型で取り扱いが容易なボード切断工具を提供する。  【解決手段】  回転原動機に連動連結する回転軸(５)の先端部に偏芯輪(Ｅ)を装着する。この偏芯輪(Ｅ)に外嵌する長円形溝孔(13)(14)を形成した２枚の往復移動板(11)(120)をその長円形溝孔(13)(14)の長径部分が直交する状態で前記偏芯輪(Ｅ)に装着する。各往復移動板(11)(12)の長径側での端部にそれぞれ刃板(20)(21)を各長円形溝孔(13)(14)の長径方向と直交する状態で回転軸心(５)と平行となるように固定する。【選択図】    図１
2010036271.tif 000002
【特許請求の範囲】
【請求項１】
回転原動機(２)に連動連結する回転軸(５)の先端部に偏芯輪(Ｅ)を装着し、この偏芯輪(Ｅ)に外嵌する長円形溝孔(13)(14)を形成した２枚の往復移動板(11)(12)をその長円形溝孔(13)(14)の長径部分が直交する状態で前記偏芯輪(Ｅ)に装着し、各往復移動板(11)(12)の長径側での端部にそれぞれ刃板(20)(21)を各長円形溝孔(13)(14)の長径方向と直交する状態で回転軸心と平行となるように固定したことを特徴とするボード切断工具。
【請求項２】
偏芯輪(Ｅ)が回転軸(５)の回転軸心に対して偏芯する状態に装着されたラジアルベアリング(９)(10)である請求項１に記載したボード切断工具。
【請求項３】
複数の偏芯輪(Ｅ)を回転軸(５)に装着してある請求項１又は２に記載したボード切断工具。
【発明の詳細な説明】
【技術分野】
【０００１】
本発明は、例えば、建築物の間仕切り壁等に使用される石膏ボートや、鉄板、ベニヤ板、合板、アルミ板、テックス等に、スイッチやコンセント取付け用の孔、さらには、換気孔、配管孔等を切削施工するためのボード切断工具に関する。
【背景技術】
【０００２】
このようなボード切断工具として、中間部にクランク部を有する回転軸杆と、この回転軸杆のクランク部に遊嵌され、回転軸杆に対して垂直な面内で直線方向に往復移動する複数のスライド板と、このスライド板に保持させた回転軸杆の軸方向と平行に刃板を配置し、回転軸杆の回転に伴って刃板を往復移動させることで、ボードを切り抜くようにしたものが提案されている。(特許文献１)
【特許文献１】特許第２６１７８９５号
【発明の開示】
【発明が解決しようとする課題】
【０００３】
ところが、前記した従来のボード切断工具では、中間部にクランク部を形成している回転軸杆の先端部を被切削物に咬込ませる鋭角尖端部に形成していることから、その作業時に回転軸杆先端部が被切削物に咬込む際の反作用、すなわちドリリング作用時の反力で工具本体に回転力が作用することから、刃板に対して捩れ力が作用することになる。このため、刃板を駆動するために回転原動力が必要となって、回転原動機に大きな出力のものを必要とし、構成部品が大型化することになるから切削工具としてのハンドリングが面倒になるという問題があった。
【０００４】
本発明は、このような点に鑑み提案されたもので、小型で取り扱いが容易なボード切断工具を提供することを目的とする。
【課題を解決するための手段】
【０００５】
上述の目的を達成するために、請求項１に記載した本発明は、回転原動機に連動連結する回転軸の先端部に偏芯輪を装着し、この偏芯輪に外嵌する長円形溝孔を形成した２枚の往復移動板をその長円形溝孔の長径部分が直交する状態で前記偏芯輪に装着し、各往復移動板の長径側での端部にそれぞれ刃板を各長円形溝孔の長径方向と直交する状態で回転軸心と平行となるように固定したことを特徴としている。
【０００６】
請求項２に記載の発明では、請求項１に記載の発明における偏芯輪が回転軸の回転軸心に対して偏芯する状態に装着されたラジアルベアリングで形成したことを特徴とし、請求項３に記載の発明では、請求項１又は２に記載の発明において、複数の偏芯輪を回転軸に装着したことを特徴としている。
【発明の効果】
【０００７】
本発明では、回転軸に装着した偏心輪に、該偏芯輪に外嵌する長円形溝孔を形成した２枚の往復移動板をそれぞれその長円形溝孔の長径部分が直交する状態で装着してあることから、各往復移動板は回転軸芯と直交する平面内で独立して、お互いに直交方向で往復移動することになり、各往復移動板の端部に回転軸心と平行となるように固定した刃板は、それぞれ回転軸芯と平行状態を維持したまま直線往復移動を行うことになる。
【０００８】
このとき、被切削物には、直線的に往復移動している刃板だけが作用することから、工具本体を回転させる力は生じることはない。これにより、刃板に捩れ力が作用することはなくなり、刃板の強度を耐捩れ力を考慮しなくてもよくなる分、軽量化を図ることができるうえ、刃板の駆動力も小出力の回転原動機を使用することができるようになり、小型で取り扱いが容易なボード切断工具を得ることができる。
【０００９】
請求項２に記載の発明では、上述の効果に加えて、偏芯輪をラジアル軸受けで構成してあることから、往復移動板と偏芯輪との間の接触摩擦が小さくなり、各往復移動板及び往復移動板に固定されている刃板を軽快に往復移動させることができる。
【００１０】
さらに請求項３に記載の発明では、複数の偏芯輪を回転軸に装着していることから、各往復移動板に偏芯輪が個別に作動することになるから、偏芯輪から往復移動板への作動力伝達を円滑に行え、回転−直線移動変換を円滑に行うことができる。
【発明を実施するための最良の形態】
【００１１】
図は本発明に係るボード切断工具の一実施形態を示しており、図１は要部の分解斜視図、図２は中央縦断面図を示す。
このボード切断具(１)は、電動モータ(２)を支持するモータ支持板(３)と、電動モータ(２)の外周を囲繞するハウジング(４)とを有しており、電動モータ(２)の回転軸(５)は前記モータ支持板(３)とハウジング(４)の天井壁部分とに軸受(６)(７)を介して回転自在となる状態で支持されており、電動モータ(２)の回転軸(５)の一方は、モータ支持板(３)から突出して出力軸(５ａ)となっている。
【００１２】
この出力軸(５ａ)には連結筒(８)が外嵌固定してあり、この連結筒(８)の軸芯は出力軸(５ａ)の軸芯に対して僅かに偏芯して位置している。また、この連結筒(８)に２個のラジアルベアリング(９)(10)が嵌着しており、この連結筒(８)とラジアルベアリング(９)(10)がそれぞれ偏芯輪(Ｅ)を構成することになる。
【００１３】
この２個のラジアルベアリング(９)(10)は、往復移動板(11)(12)に穿設した長円形溝孔(13)(14)にそれぞれ内嵌している。この往復移動板(11)(12)は、出力軸(５ａ)の軸芯と直交する平面内でその長円形溝孔(13)(14)の長径方向同士が直交する状態で配置してあり、出力軸(５ａ)の回転に伴い、各往復移動板(11)(12)はそれぞれ往復移動し、その移動方向は相対的に直交する方向となる。
【００１４】
各往復移動板(11)(12)における長径方向での端部には、回転軸(５)と平行な方向に延びる平板状の刃板支持部(15)と該刃板支持部(15)のモータ支持板(３)側に位置する端縁部に外向きに一体形成されたフランジ部(16)とからなる刃板保持板(17)が形成してある。そして、この刃板保持板(17)のフランジ部(16)をガイド枠(18)の案内凹部(19)に装着した状態で該ガイド枠(18)をモータ支持板(３)に固定することにより、各往復移動板(11)(12)を回転軸(５)に対して外れ出しを防止した状態で異なる方向で往復移動可能に位置させることになる。
【００１５】
そして、前記各往復移動板(11)(12)の刃板保持板(17)での刃板支持部(15)にそれぞれ刃板(20)(21)が装着固定される。この刃板(20)(21)は図１及び図３に示すように、一対の幅広の刃板(20)と、一対の幅狭の刃板(21)からなっており、それぞれの刃板(20)(21)には山形の直刃が連続して形成されている。そして、刃板保持板(17)での刃板支持部(15)に一対の刃板(20)(21)を対応配置することで、矩形の窓穴を穿設できるようにしてある。
【００１６】
そして、各刃板(20)(21)はその最外側に位置している山形直刃の刃先突出量を中間に位置する山形直刃の刃先突出量よりも僅かに(本実施形態では２mm程度)大きく形成して構成したものである。このように構成することにより、刃板を被切削物に軽く押し当てるだけで、各刃板(20)(21)の両端部分計８ヶ所で、刃先が被切削物に直接突き刺さることになり、切削初期段階での回転及び前後左右方向の振動振れ等をより強く防止することができる。
【００１７】
図４は、刃板(20)(21)の別の実施形態を示し、これは、刃板に形成される山形の直刃の刃先の高さをすべて同一としたものである。このように刃先の高さ位置を井土指せて根も、刃先を被切削物に軽く押し当てるだけで、刃先が被切削物に直接突き刺さることになり、切削開始後も、刃の前後左右への往復運動であることから、回転及び前後左右方向の振動振れ等(すべり)を生じさせることはない。
【００１８】
図１及び図２中符号(22)は、刃板(20)(21)の外周を覆う防塵カバーである。符号(23)はハウジング(４)に形成した塵埃吸引口であり、この塵埃吸引口(23)は防塵カバー(22)内に連通しており、塵埃吸引口(23)にダストバッグ(図示略)を設置するとともにもダストバツグに吸引力を作用させることで、その作動時に刃板(20)(21)の往復作動で生じた切削粉を吸引排除できるようにしてある。
【００１９】
図５は、回転軸の回転角度と、２枚の各往復移動板(11)(12)の各挙動及び両往復移動板(11)(12)を組み合わせた場合の刃板(20)(21)の挙動を示す図である。
回転軸(５)の回転角度が０度から９０度の範囲では、往復移動板(11)では偏芯輪(Ｅ)を構成しているラジアルべアリング(９)が長円形溝孔(13)の壁面と当接して、往復移動板(11)は図上右行するが、往復移動板(12)では偏芯輪(Ｅ)を構成しているラジアルベアリング(10)が長円形溝孔(14)の壁面と当接して、往復移動板(12)は図上下方に移動することになる。
【００２０】
回転軸(５)の回転角度が９０度から１８０度の範囲では、往復移動板(11)では偏芯輪(Ｅ)を構成しているラジアルべアリング(９)が長円形溝孔(13)の壁面と当接して、往復移動板(11)は図上左行に反転するが、往復移動板(12)では偏芯輪(Ｅ)を構成しているラジアルべアリング(10)が長円形溝孔(14)の壁面と当接し、往復移動板(12)は図上下方への移動を継続することになる。
【００２１】
回転軸(５)の回転角度が１８０度から２７０度の範囲では、往復移動板(11)では偏芯輪(Ｅ)を構成しているラジアルべアリング(９)が長円形溝孔(13)の壁面と当接して、往復移動板(11)は図上左行を継続するが、往復移動板(12)では偏芯輪(Ｅ)を構成しているラジアルべアリング(10)が長円形溝孔(14)の壁面と当接して、往復移動板(12)は図上上方に反転移動することになる。
【００２２】
回転軸(５)の回転角度が２７０度から３６０度の範囲では、往復移動板(11)では偏芯輪(Ｅ)を構成しているラジアルべアリング(９)が長円形溝孔(13)の壁面と当接して、往復移動板(11)は図上右行に反転するが、往復移動板(12)では偏芯輪(Ｅ)を構成しているラジアルべアリング(10)が長円形溝孔(14)の壁面と当接して、往復移動板(12)は図上上方への移動を継続することになる。
【００２３】
上記実施形態では、連結筒(８)に２つのラジアルベアリング(９)(10)を嵌着して偏芯輪(Ｅ)を構成するようにしているが、連結筒(８)に嵌着するラジアルベアリングは１つであってもよい。
【００２４】
また、上記の実施形態では、偏芯輪(Ｅ)にラジアルベアリングを使用するものについて説明したが、回転軸の先端面での回転中心軸が偏芯した位置に回転筒体を遊転可能に枢支して、偏芯輪とするようにしてもよい。
【産業上の利用可能性】
【００２５】
本発明に係るボード切断具は、建物の間仕切り壁や外壁にスイッチやコンセント取付け用の孔や配線、配管取り出し口を開口形成する作業に最適である。
【図面の簡単な説明】
【００２６】
【図１】本発明に係る一実施形態での要部の分解斜視図斜視図である。
【図２】図１の実施形態のものの中央縦断面図である。
【図３】刃板の正面図である。
【図４】刃板の変型例を示す正面図である。
【図５】２対の刃板の挙動を示す図である。
【符号の説明】
【００２７】
２…回転原動機、５…回転軸、Ｅ…偏芯輪(９・10…ラジアルベアリング)、11・12…往復移動板、13・14…長円形溝孔、20・21…刃板。
【図１】
2010036271.tif 000003
【図２】
2010036271.tif 000004
【図３】
2010036271.tif 000005
【図４】
2010036271.tif 000006
【図５】
2010036271.tif 000007